(57)【特許請求の範囲】
【請求項１】
データ信号線と、走査信号線と、画素電極と、データ信号線および走査信号線並びに画素電極に接続されたトランジスタと、共通電極と、データ信号線を駆動するソースドライバと、走査信号線を駆動するゲートドライバと、共通電極を駆動する共通電極ドライバとを備え、電源オフのシーケンス中に走査信号線の電位を変動させてトランジスタをオンさせる液晶表示装置であって、
走査信号線の電位は、上昇を始めて第１タイミングでトランジスタの閾値電位よりも高い第１電位に到達した後に下降に転じ、
所定タイミングを、第１タイミングの後でかつ走査信号線の電位が下降に転じる前のタイミングであるものとして、
第１タイミングから前記所定タイミングまでの期間に、データ信号線に通常表示時の共通電極の電位よりもプラス側の電位および通常表示時の共通電極の電位よりもマイナス側の電位を交互に出力し、所定タイミングから走査信号線の電位が自然放電によってグラウンド電位になるまでは、データ信号線への出力電位が共通電極への出力電位よりも高く設定され、
走査信号線の電位が自然放電によってグラウンド電位になるまでに、共通電極への出力電位またはデータ信号線への出力電位がグラウンド電位になり、
電源オフは、前記ソースドライバ、ゲートドライバおよび共通電極ドライバへの電源供給の停止であり、走査信号線の電位が上昇する前、あるいは、走査信号線の電位が上昇を始めてから自然放電によってグラウンド電位となるまでの間に行われる液晶表示装置。
【請求項２】
上記トランジスタの半導体層に、酸化物半導体が用いられている請求項１に記載の液晶表示装置。
【請求項３】
上記酸化物半導体は、インジウム、ガリウム、および亜鉛を含む請求項２に記載の液晶表示装置。
【請求項４】
データ信号線と、走査信号線と、画素電極と、データ信号線および走査信号線並びに画素電極に接続されたトランジスタと、共通電極と、データ信号線を駆動するソースドライバと、走査信号線を駆動するゲートドライバと、共通電極を駆動する共通電極ドライバとを備えた液晶表示装置に対し、電源オフのシーケンス中に走査信号線の電位を変動させてトランジスタをオンさせる液晶表示装置の駆動方法であって、
走査信号線の電位は、上昇を始めて第１タイミングでトランジスタの閾値電位よりも高い第１電位に到達した後に下降に転じ、
所定タイミングを、第１タイミングの後でかつ走査信号線の電位が下降に転じる前のタイミングであるものとして、
第１タイミングから前記所定タイミングまでの期間に、データ信号線に通常表示時の共通電極の電位よりもプラス側の電位および通常表示時の共通電極の電位よりもマイナス側の電位を交互に出力し、所定タイミングから走査信号線の電位が自然放電によってグラウンド電位になるまでは、データ信号線への出力電位を共通電極への出力電位よりも高く設定し、
走査信号線の電位が自然放電によってグラウンド電位になるまでに、共通電極への出力電位またはデータ信号線への出力電位がグラウンド電位になり、
前記ソースドライバ、ゲートドライバおよび共通電極ドライバへの電源供給の停止である電源オフを、走査信号線の電位が上昇する前、あるいは、走査信号線の電位が上昇を始めてから自然放電によってグラウンド電位となるまでの間に行う液晶表示装置の駆動方法。
【発明の詳細な説明】
【技術分野】
【０００１】
本発明は、液晶表示装置に関する。
【背景技術】
【０００２】
液晶表示装置の電源オフ時に画素電極に残存した電荷によって画素（画素電極および対向電極並びにこれらで挟まれた液晶を含む液晶容量）にＤＣ電圧が印加されると、焼き付きやフリッカが生じ、液晶表示装置としての信頼性が損なわれる。【０００３】
特許文献１には、液晶表示装置の電源オフのシーケンス中にトランジスタをオンして画素電極に残存した電荷を意図的に放電する技術が開示されている。
【先行技術文献】
【特許文献】
【０００４】
【特許文献１】特開２００６−０１１３１１号公報
【発明の概要】
【発明が解決しようとする課題】
【０００５】
発明者らは、特許文献１のように、電源オフのシーケンス中にトランジスタをオンして画素電極の放電を行っても、トランジスタがオンからオフする（トランジスタのゲート電極の電位が変動する）ときに画素まわりの寄生容量によって画素電極に電位変動（キックバック）が生じ、これによって画素（液晶容量）にＤＣ電圧が印加される問題があること、特にトランジスタのオフ特性が良好な液晶表示装置では（トランジスタを介した自然放電が抑制されるため）このＤＣ電圧の印加が長時間になるおそれがあることを見出した。【０００６】
本発明の目的は、液晶表示装置の電源オフのシーケンス中にトランジスタをオンする場合において、トランジスタがオンからオフするのに伴って画素電極に電位変動（キックバック）が生じても、画素にＤＣ電圧がかかり難くすることにある。
【課題を解決するための手段】
【０００７】
本液晶表示装置は、データ信号線と、走査信号線と、画素電極と、データ信号線および走査信号線並びに画素電極に接続されたトランジスタと、共通電極とを備え、電源オフのシーケンス中に走査信号線の電位を変動させてトランジスタをオンさせる液晶表示装置であって、走査信号線の電位は、変動を始めて第１タイミングで第１電位まで上昇し、第１タイミングの後の第２タイミングでのデータ信号線への出力電位が、第２タイミングでの共通電極への出力電位よりも高く設定されていることを特徴とする。
【発明の効果】
【０００８】
本液晶表示装置によれば、電源オフ時にトランジスタをオンする場合に、トランジスタがオンからオフするのに伴って画素電極にキックバックが生じても、画素にＤＣ電圧がかかり難くなる。
【図面の簡単な説明】
【０００９】
【図１】実施の形態１の電源オフシーケンスを示すタイミングチャートである。
【図２】実施の形態１の液晶表示装置を示すブロック図である。
【図３】図２の一部の等価回路図である。
【図４】実施の形態１の電源オフシーケンス（データ信号線の電位変動含む）を示すタイミングチャートである。
【図５】実施の形態１の電源オフシーケンス（画素電極の電位変動含む）を示すタイミングチャートである。
【図６】実施の形態１の電源オフシーケンス（共通電極の電位変動含む）を示すタイミングチャートである。
【図７】実施の形態１の別形態を示すタイミングチャートである。
【図８】実施の形態２の電源オフシーケンスを示すタイミングチャートである。
【図９】実施の形態２の電源オフシーケンス（データ信号線の電位変動含む）を示すタイミングチャートである。
【図１０】実施の形態２の電源オフシーケンス（画素電極の電位変動含む）を示すタイミングチャートである。
【図１１】実施の形態２の電源オフシーケンス（共通電極の電位変動含む）を示すタイミングチャートである。
【図１２】実施の形態３の電源オフシーケンスを示すタイミングチャートである。
【図１３】実施の形態３の電源オフシーケンス（データ信号線の電位変動含む）を示すタイミングチャートである。
【図１４】実施の形態３の電源オフシーケンス（画素電極の電位変動含む）を示すタイミングチャートである。
【図１５】実施の形態３の電源オフシーケンス（共通電極の電位変動含む）を示すタイミングチャートである。
【図１６】図１３の変形例を示すタイミングチャートである。
【図１７】図１４の変形例を示すタイミングチャートである。
【図１８】図１５の変形例を示すタイミングチャートである。
【図１９】実施の形態３の別形態を示すタイミングチャートである。
【図２０】各実施の形態での各ドライバへの電源供給状態の一例を示すタイミングチャートである。
【図２１】各実施の形態での各ドライバへの電源供給状態と走査信号線電位の相関の一例を示すタイミングチャートである。
【図２２】各実施の形態での各ドライバへの電源供給状態と走査信号線電位の相関の別例を示すタイミングチャートである。
【図２３】酸化物半導体の特性を示すグラフである。
【図２４】参考例の電源オフシーケンスを示すタイミングチャートである。
【図２５】参考例の電源オフシーケンス（データ信号線の電位変動含む）を示すタイミングチャートである。
【図２６】参考例の電源オフシーケンス（共通電極の電位変動含む）を示すタイミングチャートである。
【図２７】参考例の電源オフシーケンス（画素電極の電位変動含む）を示すタイミングチャートである。
【発明を実施するための形態】
【００１０】
本発明の実施形態を図１〜図２７に基づいて説明すれば以下のとおりである。
【００１１】
〔実施の形態１〕
図２は本液晶表示装置の構成を示すブロック図であり、図３は図２の一部の等価回路図である。図２・図３に示すように、実施の形態１の液晶表示装置ＬＣＤは、２つの基板（図示せず）およびこれら基板に挟まれた液晶層（図示せず）を含む液晶パネルＬＣＰと、表示制御回路ＤＣＣと、ソースドライバＳＤと、ゲートドライバＧＤと、共通電極ドライバＣＭＤと、電源回路ＰＷＣと、電源制御回路ＰＣＣとを備える。
【００１２】
液晶パネルＬＣＰは、走査信号線Ｇ１〜Ｇｎと、データ信号線ＳＬと、画素電極ＰＥと、トランジスタ（薄膜トランジスタ、ＴＦＴ）ＴＲと、共通電極ＣＯＭとを備える。トランジスタＴＲは、そのゲート電極が走査信号線Ｇ１に接続され、そのソース電極がデータ信号線ＳＬに接続され、そのドレイン電極が画素電極ＰＥに接続され、図３に示すように、画素Ｐｉｘの画素電極ＰＥおよび共通電極ＣＯＭ並びに液晶層が画素容量（液晶容量）Ｃｌｃを構成している。なお、トランジスタＴＲのゲート電極（走査信号線Ｇ１）とトランジスタＴＲのドレイン電極（画素電極ＰＥ）との間には寄生容量Ｃｇｄが形成されている。
【００１３】
ソースドライバＳＤはデータ信号線ＳＬを駆動（データ信号線ＳＬへの出力電位を生成）し、ゲートドライバＧＤは走査信号線Ｇ１〜Ｇｎを駆動し、共通電極ドライバＣＭＤは共通電極ＣＯＭを駆動（共通電極ＣＯＭへの出力電位を生成）し、表示制御回路ＤＣＣは、タイミングコントローラや映像処理回路を含んで構成され、ソースドライバＳＤ、ゲートドライバＧＤおよび共通電極ドライバＣＭＤを制御する。電源制御回路ＰＣＣは、ユーザやシステムからの指示に応じて電源回路ＰＷＣを制御する。電源回路ＰＷＣは、電源制御回路ＰＣＣの制御を受けて、ソースドライバＳＤ、ゲートドライバＧＤおよび共通電極ドライバＣＭＤに各種の電源電圧を供給する。
【００１４】
実施の形態１の液晶表示装置では、図１に示すように、時刻Ｔａで電源オフの指示があった場合に、時刻Ｔｂで走査信号線Ｇ１〜Ｇｎの電位を立ち上げてトランジスタＴＲをオンするとともに、データ信号線ＳＬにオフセット電位Ｖｏｓを出力するとともに共通電極ＣＯＭにグラウンド電位Ｖｇｄを出力し、その後の時刻ＴｇでトランジスタＴＲをオフする。
【００１５】
図１の詳細（時刻Ｔｂ以後のシーケンス）を図４〜図６に示す。なお、液晶パネルＬＣＰはノーマリブラック、トランジスタＴＲのチャネルはＮ型であり、ゲートオフ電位ＶＧＬ＜グラウンド電位Ｖｇｄ＜負駆動時最低階調電位ＶＳＬ＜オフセット電位Ｖｏｓ＜表示センター電位（通常表示時の共通電極の電位）Ｖｃｏｍ＜トランジスタの閾値電位Ｖｔｈ＜正駆動時最高階調電位ＶＳＨ＜ゲートオン電位ＶＧＨとする。
【００１６】
まず、時刻Ｔｂで走査信号線Ｇ１の電位の立ち上げを開始するとともに、データ信号線ＳＬにオフセット電位Ｖｏｓを出力するとともに共通電極ＣＯＭにグラウンド電位Ｖｇｄを出力する。時刻Ｔｄ（第１タイミング）で、走査信号線Ｇ１の電位はトランジスタの閾値電位Ｖｔｈよりも高いゲートオン電位ＶＧＨ（第１電位）に達する。
【００１７】
続く時刻Ｔｅで、ゲートパルス信号の電位（走査信号線Ｇ１の電位）は下降に転じ、走査信号線Ｇ１の電位がトランジスタの閾値電位Ｖｔｈとなる時刻Ｔｇ近傍でトランジスタＴＲはオフする。
【００１８】
時刻Ｔｇ以降、ゲートパルス信号の電位（走査信号線Ｇ１の電位）はトランジスタの閾値電位Ｖｔｈからグラウンド電位Ｖｇｄまで低下する。この期間は、トランジスタＴＲがオフしている（トランジスタＴＲのソース電極と画素電極ＰＥとの間の抵抗値が非常に高くなっている）ため、寄生容量Ｃｇｄに起因して、画素電極ＰＥの電位は、オフセット電位Ｖｏｓからグラウンド電位Ｖｇｄまで低下する（キックバック、図５参照）。この期間の共通電極ＣＯＭの電位はグラウンド電位Ｖｇｄであるから、ここでは、トランジスタの閾値電位Ｖｔｈ並びに画素およびトランジスタまわりの各種容量（寄生容量含む）等を考慮し、オフセット電位Ｖｏｓを、グラウンド電位Ｖｇｄにキックバック電圧（絶対値）を加えた電位に設定する。
【００１９】
本実施の形態１では、時刻Ｔｂから時刻Ｔｇ間に、共通電極ＣＯＭにグラウンド電位Ｖｇｄを出力するとともにデータ信号線ＳＬにオフセット電位Ｖｏｓ（＞グラウンド電位Ｖｇｄ）を出力することで、トランジスタＴＲがオフする時刻Ｔｇ以降に画素電極ＰＥの電位変動（キックバック）が生じても、画素電極ＰＥおよび共通電極ＣＯＭ間の電位差（画素ＰｉｘにかかるＤＣ電圧）をほとんどなくすことができるという効果がある。
【００２０】
なお、図２４〜図２７は、時刻Ｔｂでデータ信号線ＳＬおよび共通電極ＣＯＭそれぞれにグラウンド電位Ｖｇｄを出力した場合を示す参考図であり、画素電極ＰＥの電位変動（キックバック）によって、トランジスタＴＲがオフする時刻Ｔｇ以降、電源オフ後も（トランジスタＴＲを介した自然放電が終わるまで）画素電極ＰＥおよび共通電極ＣＯＭ間（画素Ｐｉｘ）にＤＣ電圧がかかってしまうことがわかる。特に、トランジスタＴＲの半導体層に酸化物半導体（例えば、インジウム、ガリウムおよび亜鉛を含む酸化物半導体ＩｎＧａＺｎＯｘ）を用いた場合には、後述のようにオン／オフ特性が非常に良好で容易には自然放電しないため、画素Ｐｉｘに長時間ＤＣ電圧がかかってしまう。換言すれば、トランジスタＴＲの半導体層に酸化物半導体を用いる場合には、本実施の形態１の効果は顕著なものになる。
【００２１】
実施の形態１では、図７に示すように、走査信号線Ｇ１の電位が立ち上がる時刻Ｔｄから時刻ＴＤ（時刻Ｔｅよりも前の時刻）の期間を黒表示期間とすることもできる。黒表示期間には、共通電極ＣＯＭにＶｃｏｍを出力する一方、データ信号線にＶｃｏｍよりもプラス側の黒表示電位ＶＢおよびＶｃｏｍよりもマイナス側の黒表示電位Ｖｂ（第５電位）を交互に出力し、黒表示期間が終了する時刻Ｔｃで、共通電極ＣＯＭにグラウンド電位Ｖｇｄを出力するとともにデータ信号線ＳＬにオフセット電位Ｖｏｓ（＞グラウンド電位Ｖｇｄ）を出力する。
【００２２】
〔実施の形態２〕
実施の形態２の液晶表示装置の構成は図２のとおりである。実施の形態２の液晶表示装置では、図８〜図１１に示すように、まず時刻Ｔｂで、走査信号線Ｇ１の電位をゲートオフ電位ＶＧＬから立ち上げ、データ信号線ＳＬにオフセット電位Ｖｏｕを出力するとともに共通電極ＣＯＭに表示センター電位Ｖｃｏｍを出力すると、時刻Ｔｄで、データ信号線ＳＬがオフセット電位Ｖｏｕに充電され、共通電極ＣＯＭが表示センター電位Ｖｃｏｍに充電される。
【００２３】
続く時刻Ｔｅで、ゲートパルス信号の電位（走査信号線Ｇ１の電位）をアクティブレベルＶＧＨから立ち下げ（下降させ）、続く時刻Ｔｇ（第２タイミング）でゲートパルス信号の電位（走査信号線Ｇ１の電位）がトランジスタの閾値電位Ｖｔｈを下回ると、トランジスタＴＲはオフする。
【００２４】
時刻Ｔｇ以降、ゲートパルス信号の電位（走査信号線Ｇ１の電位）はトランジスタの閾値電位Ｖｔｈからグラウンド電位Ｖｇｄまで低下する。この期間は、トランジスタＴＲがオフしている（トランジスタＴＲのソース電極と画素電極ＰＥとの間の抵抗値が非常に高くなっている）ため、寄生容量Ｃｇｄに起因して、画素電極ＰＥの電位は、オフセット電位Ｖｏｕから表示センター電位Ｖｃｏｍまで低下する（キックバック、図１０参照）。この期間の共通電極ＣＯＭの電位は表示センター電位Ｖｃｏｍであるから、ここでは、トランジスタの閾値電位Ｖｔｈ並びに画素およびトランジスタまわりの各種容量（寄生容量含む）等を考慮し、オフセット電位Ｖｏｕを、グラウンド電位Ｖｇｄにキックバック電圧（絶対値）を加えた電位に設定する。
【００２５】
〔実施の形態３〕
実施の形態３の液晶表示装置の構成は図２のとおりである。実施の形態２の液晶表示装置では、図１２〜１５に示すように、まず、時刻Ｔｂで走査信号線Ｇ１の電位の立ち上げを開始するとともに、データ信号線ＳＬにグラウンド電位Ｖｇｄを出力するとともに共通電極ＣＯＭにマイナス電位Ｖｎｇを出力する。時刻Ｔｄ（第１タイミング）で、走査信号線Ｇ１の電位はトランジスタの閾値電位Ｖｔｈよりも高いゲートオン電位ＶＧＨ（第１電位）に達する。
【００２６】
続く時刻Ｔｅで、ゲートパルス信号の電位（走査信号線Ｇ１の電位）は下降に転じ、走査信号線Ｇ１の電位がトランジスタの閾値電位Ｖｔｈとなる時刻Ｔｇ近傍でトランジスタＴＲはオフする。
【００２７】
時刻Ｔｇ以降、ゲートパルス信号の電位（走査信号線Ｇ１の電位）はトランジスタの閾値電位Ｖｔｈからグラウンド電位Ｖｇｄまで低下する。この期間は、トランジスタＴＲがオフしている（トランジスタＴＲのソース電極と画素電極ＰＥとの間の抵抗値が非常に高くなっている）ため、寄生容量Ｃｇｄに起因して、画素電極ＰＥの電位は、グラウンド電位Ｖｇｄからマイナス電位Ｖｎｇまで低下する（キックバック、図１４参照）。この期間の共通電極ＣＯＭの電位はグラウンド電位Ｖｇｄであるから、ここでは、トランジスタの閾値電位Ｖｔｈ並びに画素およびトランジスタまわりの各種容量（寄生容量含む）等を考慮し、マイナス電位Ｖｎｇを、グラウンド電位Ｖｇｄからキックバック電圧（絶対値）を引いた電位に設定する。
【００２８】
本実施の形態３では、時刻Ｔｂから時刻Ｔｇ間に、データ信号線ＳＬグラウンド電位Ｖｇｄを出力するとともに共通電極ＣＯＭにマイナス電位Ｖｎｇ（＜グラウンド電位Ｖｇｄ）を出力することで、トランジスタＴＲがオフする時刻Ｔｇ以降に画素電極ＰＥの電位変動（キックバック）が生じても、画素電極ＰＥおよび共通電極ＣＯＭ間の電位差（画素ＰｉｘにかかるＤＣ電圧）をほとんどなくすことができるという効果がある。
【００２９】
実施の形態３では、図１６に示すように、走査信号線Ｇ１の電位が立ち上がる時刻Ｔｄから時刻ＴＤ（時刻Ｔｅよりも前の時刻）を黒表示期間とすることもできる。黒表示期間には、共通電極ＣＯＭにＶｃｏｍを出力する一方、データ信号線にＶｃｏｍよりもプラス側の黒表示電位ＶＢおよびＶｃｏｍよりもマイナス側の黒表示電位Ｖｂを交互に出力し、黒表示期間が終了する時刻ＴＤで、データ信号線ＳＬグラウンド電位Ｖｇｄを出力するとともに共通電極ＣＯＭにマイナス電位Ｖｎｇを出力する。
【００３０】
図１３から図１５では、Ｖｎｇ＜Ｖｇｄ＜ＶＳＬ＜Ｖｃｏｍ＜ＶＳＨとしているが、これに限定されない。例えば、図１７〜図１９に示すように、ＶＳＬ＜Ｖｃｏｍ＜ＶＮＧ＜グラウンド電位Ｖｇｄ＜ＶＳＨとすることもできる。こうすれば、電源オフシーケンスのためだけにマイナス電位を作成する手間を省くことができる。
【００３１】
〔上記各実施の形態に関して〕
上記各実施の形態では、図２０に示すように、電源回路ＰＷＣから各ドライバＤ（ＧＤ・ＳＤ・ＣＭＤ）への電源供給は時刻Ｔａで停止され、各ドライバＤ（ＧＤ・ＳＤ・ＣＭＤ）の残留電圧によって時刻Ｔａ〜時刻Ｔｉまでのシーケンスが行われる。もっとも、時刻Ｔｉまで電源回路ＰＷＣから各ドライバへの電源供給を行っても構わない。
【００３２】
また、上記各実施の形態の液晶表示装置では、各ドライバＤ（ＧＤ・ＳＤ・ＣＳＤ）への電源供給は時刻Ｔａで停止されるため、例えば、ゲートドライバに供給される電源電位ＧＰＷは、図２１のように時刻Ｔｅまでは維持されるが時刻Ｔｅ以降は自然放電によって低下する。なお、この電源電位ＧＰＷが、時刻Ｔｂですでに低下している場合は、図２２のようになる。図２２の場合は、走査信号線Ｇ１の電位を、時刻Ｔｄ（第１タイミング）でトランジスタの閾値電位Ｖｔｈよりも高い電位（第１電位、ゲートオン電位ＶＧＨよりは低い電位）まで立ち上げてトランジスタＴＲをオンすることとなる。
【００３３】
また、上記各実施の形態の液晶表示装置では、液晶パネルのトランジスタとして、半導体層にいわゆる酸化物半導体を用いたＴＦＴを用いることが望ましい。この酸化物半導体としては、例えば、インジウム、ガリウムおよび亜鉛を含む酸化物半導体（ＩｎＧａＺｎＯｘ）を挙げることができる。図２３に、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。図２３においては、横軸（Ｖｇ）は、各ＴＦＴに供給されるゲート電圧の値であり、縦軸（Ｉｄ）は、各ＴＦＴのソース−ドレイン間の電流値である（図中において「ＴＦＴ−ｏｎ」と示されている期間は、ＴＦＴがオン状態となっている期間、「ＴＦＴ−ｏｆｆ」と示されている期間は、ＴＦＴがオフ状態となっている期間を示す）。図２３に示すように、酸化物半導体を用いたＴＦＴは、ａ−Ｓｉを用いたＴＦＴと比較して、オン電流値／オフ電流値が１０００倍以上となっており、非常に優れたＯＮ／ＯＦＦ特性を有している。
【００３４】
つまり酸化物半導体を用いたＴＦＴは、オフ状態のときのリーク電流が、ａ−Ｓｉを用いたＴＦＴの１００分の１程度であり、リーク電流が殆ど生じない、オフ特性が非常に優れたものである。反面、オフ特性が非常に優れていることによって、電源オフ時に画素に電荷が長時間残留する可能性は高くなる。
【００３５】
本液晶表示装置は、データ信号線と、走査信号線と、画素電極と、データ信号線および走査信号線並びに画素電極に接続されたトランジスタと、共通電極とを備え、電源オフのシーケンス中に走査信号線の電位を変動させてトランジスタをオンさせる液晶表示装置であって、走査信号線の電位は、変動を始めて第１タイミングで第１電位まで上昇し、第１タイミングの後の第２タイミングでのデータ信号線への出力電位が、第２タイミングでの共通電極への出力電位よりも高く設定されていることを特徴とする。
【００３６】
上記構成によれば、電源オフのシーケンスにおいて、第１タイミング後にトランジスタをオンさせて画素電極の放電を行うことができる。そして、第１タイミング後の第２タイミングでのデータ信号線への出力電位が、第２タイミングでの共通電極への出力電位よりも高く設定されているため、トランジスタがオンからオフするのに伴って画素電極に電位の低下（キックバック）が生じても、この画素電極を含む画素にＤＣ電圧がかかり難くなる。
【００３７】
本液晶表示装置では、第２タイミングでの共通電極への出力電位が第２電位であり、第２タイミングでのデータ信号線への出力電位が第３電位である構成とすることもできる。
【００３８】
本液晶表示装置では、第２タイミングでの共通電極への出力電位が第４電位であり、第２タイミングでのデータ信号線への出力電位が第２電位である構成とすることもできる。
【００３９】
本液晶表示装置では、上記第１電位はトランジスタの閾値電位以上である構成とすることもできる。
【００４０】
本液晶表示装置では、上記第２電位はグラウンド電位である構成とすることもできる。
【００４１】
本液晶表示装置では、第４電位がグラウンド電位よりも低い構成とすることもできる。
【００４２】
本液晶表示装置では、通常表示時の共通電極の電位が第４電位である構成とすることもできる。
【００４３】
本液晶表示装置では、第１タイミングの後、共通電極への出力電位が一旦第５電位とされた後に第２電位とされるとともにデータ信号線への出力電位が一旦第６電位とされた後に第３電位とされる構成とすることもできる。
【００４４】
本液晶表示装置では、第１タイミングの後、共通電極への出力電位が一旦第５電位とされた後に第３電位とされるとともにデータ信号線への出力電位が一旦第６電位とされた後に第２電位とされる構成とすることもできる。
【００４５】
本液晶表示装置では、共通電極への出力電位が第５電位とされつつ、データ信号線から上記画素電極に上記第６電位が書き込まれることで、該画素電極を含む画素が黒表示となる構成とすることもできる。
【００４６】
本液晶表示装置では、データ信号線への出力電位を生成するデータ信号線駆動回路と、共通電極への出力電位を生成する共通電極駆動回路と、データ信号線駆動回路および共通電極駆動回路を制御する制御回路とを備える構成とすることもできる。
【００４７】
本液晶表示装置では、上記トランジスタの半導体層に、酸化物半導体が用いられている構成とすることもできる。
【００４８】
本液晶表示装置では、上記酸化物半導体がインジウム、ガリウムおよび亜鉛を含む構成とすることもできる。
【００４９】
本液晶表示装置の駆動方法は、データ信号線と、走査信号線と、画素電極と、データ信号線および走査信号線並びに画素電極に接続されたトランジスタと、共通電極とを備えた液晶表示装置に対し、電源オフのシーケンス中に走査信号線の電位を変動させてトランジスタをオンさせる液晶表示装置の駆動方法であって、走査信号線の電位は、変動を始めて第１タイミングで第１電位まで上昇し、第１タイミングの後の第２タイミングでのデータ信号線への出力電位を、第２タイミングでの共通電極への出力電位よりも高く設定することを特徴とする。
【００５０】
本発明は上記の実施の形態に限定されるものではなく、上記実施の形態を技術常識に基づいて適宜変更したものやそれらを組み合わせて得られるものも本発明の実施の形態に含まれる。
【産業上の利用可能性】
【００５１】
本発明の液晶表示装置は、例えば、各種液晶ディスプレイや液晶テレビに好適である。
【符号の説明】
【００５２】
ＬＣＤ  液晶表示装置
ＴＲ    トランジスタ
ＣＯＭ  共通電極
ＳＬ    データ信号線
Ｇ１〜Ｇｎ  走査信号線
ＣＭＤ  共通電極ドライバ
ＳＤ  ソースドライバ
ＧＤ  ゲートドライバ
ＡＭ  アクティブマトリクス基板
ＬＣＰ  液晶パネル
ＰＥ  画素電極
ＤＣＣ  表示制御回路
ＰＷＣ  電源回路
【図１】
0005972914.tif 000002
【図２】
0005972914.tif 000003
【図３】
0005972914.tif 000004
【図４】
0005972914.tif 000005
【図５】
0005972914.tif 000006
【図６】
0005972914.tif 000007
【図７】
0005972914.tif 000008
【図８】
0005972914.tif 000009
【図９】
0005972914.tif 000010
【図１０】
0005972914.tif 000011
【図１１】
0005972914.tif 000012
【図１２】
0005972914.tif 000013
【図１３】
0005972914.tif 000014
【図１４】
0005972914.tif 000015
【図１５】
0005972914.tif 000016
【図１６】
0005972914.tif 000017
【図１７】
0005972914.tif 000018
【図１８】
0005972914.tif 000019
【図１９】
0005972914.tif 000020
【図２０】
0005972914.tif 000021
【図２１】
0005972914.tif 000022
【図２２】
0005972914.tif 000023
【図２３】
0005972914.tif 000024
【図２４】
0005972914.tif 000025
【図２５】
0005972914.tif 000026
【図２６】
0005972914.tif 000027
【図２７】
0005972914.tif 000028